(57)【要約】【課題】外観品位及び強度を保持しつつ熱膨張又は熱収縮によるリアキャビネットの変形を抑制することができる表示装置を提供する。【解決手段】表示装置は、矩形状の表示部２と、表示部２の背面側に配置されたシャーシ４と、表示部２の正面側及び背面側に配置された枠状のフロントキャビネット３及びリアキャビネット１とを備える。リアキャビネット１は、シャーシ４に固定するためのビスが貫通する複数の固定用貫通孔を有しており、長辺方向に並び配された矩形状の複数の分体１１，１２，１３と、各分体の一辺に沿って設けられ、該分体を互いに連結する連結部とを備える。連結される二つの連結部の内、一方の連結部には、連結用貫通孔が、前記一辺に沿った方向に並設されており、他方の連結部には、前記連結用貫通孔を貫通したビスが挿入される複数の挿入口が形成されている。固定用貫通孔は前記ビスよりも前記長辺方向の寸法が大きく形成されている。【選択図】図２
2013243548.tif 000002
【特許請求の範囲】
【請求項１】
正面側に映像を表示する矩形状の表示部と、該表示部の背面側に配置され、該表示部を補強する補強体と、前記表示部の正面側に配置された枠状のフロントキャビネットと、前記補強体の背面側に配置された矩形状のリアキャビネットとを備える表示装置において、
前記リアキャビネットは、
前記補強体に固定するためのビスが貫通する複数の固定用貫通孔を有しており、長辺方向に並び配された矩形状の複数の分体と、
各分体の一辺に沿って設けられ、該分体を互いに連結する連結部と
を備え、
各分体が一辺に沿って有している連結部が互いに重なって複数のビスで連結され、
連結される二つの連結部の内、一方の連結部にはビスが貫通する複数の連結用貫通孔が、前記一辺に沿った方向に並設されており、
前記他方の連結部には、前記連結用貫通孔を貫通したビスが挿入される複数の挿入口が形成されてあり、
前記固定用貫通孔又は前記連結用貫通孔は、
ビスよりも前記長辺方向の寸法が大きい
ことを特徴とする表示装置。
【請求項２】
前記リアキャビネットの長辺は上辺であり、各分体は上辺板部を備え、
前記フロントキャビネットは、
前記上辺板部が背面側から挿入される溝部を上辺部分に備え、
前記上辺板部及び前記溝部は、
前記分体の上辺板部が前記長辺方向に移動可能に引っ掛かる掛合突起を有する
ことを特徴とする請求項１に記載の表示装置。
【請求項３】
前記上辺板部が有する掛合突起は、前記上辺板部の上面に形成された凸部であり、
前記溝部が有する掛合突起は、前記溝部の内面上部から下方へ突出し、前記上辺板部の凸部の背面側部位に当接するレール状凸部である
ことを特徴とする請求項２に記載の表示装置。
【請求項４】
前記連結用貫通孔はビスが内嵌する丸孔である
ことを特徴とする請求項１から請求項３までのいずれか一つに記載の表示装置。
【請求項５】
前記固定用貫通孔はビスが内嵌する丸孔である
ことを特徴とする請求項１から請求項３までのいずれか一つに記載の表示装置。
【請求項６】
前記長辺方向における前記リアキャビネットの寸法は、前記フロントキャビネットの寸法よりも小さい
ことを特徴とする請求項１から請求項５までのいずれか一つに記載の表示装置。
【請求項７】
請求項１から６までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、薄型・大型の表示装置及びテレビジョン受信機に関する。
【背景技術】
【０００２】
テレビジョン受信機及びインフォメーションディスプレイ等の表示装置は、近年、液晶パネル又はＥＬ（Electro Luminescence）パネル等の表示パネルを備えた薄型のものが多い。薄型の表示装置では、表示パネルを含む矩形平板状の表示部が金属製のシャーシに取り付けられており、表示部の正面側に矩形枠状のフロントキャビネットが備えられ、表示部の背面を覆うリアキャビネットが備えられている。近年では、９０インチ型等のより大型化及び薄型化が進んだ表示装置が開発されている。このような大型の表示装置では、リアキャビネットが巨大になり、一体で作成することは困難であるので、リアキャビネットを複数の分体に分割して作成し、個々に作成した分体を組み合わせることでリアキャビネットを完成させることが考えられる（例えば、特許文献１，２）。
【０００３】
しかしながら、例えば６０インチ、７０インチ等の超大型で薄型の表示装置においては、リアキャビネットが薄型であるために、温度変化に伴い、金属と合成樹脂との熱膨張率（線膨張係数）の違いによりリアキャビネットがゆがむという問題がある。
【０００４】
特許文献３には、蓋部と底板とのビス締結部分において、蓋部のビス挿通孔の両側にスリットを設けた電子機器用の筐体が開示されている。該筐体においては、底板と蓋部とがそれぞれ熱膨張又は熱収縮した場合であっても、底板と蓋部との熱膨張差又は熱収縮差が前記スリットにより吸収され、蓋部へのストレス及びビスの緩みが抑制される。
【先行技術文献】
【特許文献】
【０００５】
【特許文献１】特許第２００９−１７１５２０号公報
【特許文献２】特許第２００８−２１６３４７号公報
【特許文献３】特許第２５５８８０５号公報
【発明の概要】
【発明が解決しようとする課題】
【０００６】
しかしながら、表示装置のリアキャビネットには、外観品位及び強度上の問題から、ビス締結部分にスリットを設けることが困難である。
【０００７】
本発明は、斯かる事情に鑑みてなされたものであって、その目的とするところは、リアキャビネットにスリット構造を設けること無く、外観品位及び強度を保持しつつ熱膨張又は熱収縮によるリアキャビネットの変形を抑制することができる表示装置及びテレビジョン受信機を提供することにある。
【課題を解決するための手段】
【０００８】
本発明に係る表示装置は、正面側に映像を表示する矩形状の表示部と、該表示部の背面側に配置され、該表示部を補強する補強体と、前記表示部の正面側に配置された枠状のフロントキャビネットと、前記補強体の背面側に配置された矩形状のリアキャビネットとを備える表示装置において、前記リアキャビネットは、前記補強体に固定するためのビスが貫通する複数の固定用貫通孔を有しており、長辺方向に並び配された矩形状の複数の分体と、各分体の一辺に沿って設けられ、該分体を互いに連結する連結部とを備え、各分体が一辺に沿って有している連結部が互いに重なって複数のビスで連結され、連結される二つの連結部の内、一方の連結部にはビスが貫通する複数の連結用貫通孔が、前記一辺に沿った方向に並設されており、前記他方の連結部には、前記連結用貫通孔を貫通したビスが挿入される複数の挿入口が形成されてあり、前記固定用貫通孔又は前記連結用貫通孔は、ビスよりも前記長辺方向の寸法が大きいことを特徴とする。
【０００９】
本発明においては、表示装置が備えるリアキャビネットは、複数の分体がビスによって連結されて構成され、固定用貫通孔を貫通したビスによって、補強体に固定されている。各分体は、一辺に沿って有している連結部が互いに重なって複数のビスで連結されている。連結される二つの連結部の内、一方の連結部にはビスが貫通する複数の連結用貫通孔が、前記一辺に沿った方向に並設され、他方の連結部には、前記連結用貫通孔を貫通したビスが挿入される複数の挿入口が形成されている。
そして、前記固定用貫通孔は、前記固定用貫通孔を貫通するビスよりも前記長辺方向に寸法が大きく形成されている。あるいは、前記連結用貫通孔は、前記連結用貫通孔を貫通するビスよりも前記長辺方向に寸法が大きく形成されている。
従って、リアキャビネットが熱膨張又は熱収縮した場合、ビスに対する固定用貫通孔又は連結用貫通孔の位置が変化するため、熱膨張によるリアキャビネットのゆがみが抑制される。
【００１０】
本発明に係る表示装置は、前記リアキャビネットの長辺は上辺であり、各分体は上辺板部を備え、前記フロントキャビネットは、前記上辺板部が背面側から挿入される溝部を上辺部分に備え、前記上辺板部及び前記溝部は、前記分体の上辺板部が前記長辺方向に移動可能に引っ掛かる掛合突起を有することを特徴とする。
【００１１】
本発明にあっては、フロントキャビネットの上辺部分に備えられた溝部に、リアキャビネットを構成する各分体の上辺板部を挿入した場合、前記上辺板部及び溝部に形成された掛合突起によって、リアキャビネットは、フロントキャビネットに対して長辺方向に移動可能に引っ掛かる。
従って、リアキャビネットが熱膨張した場合、リアキャビネットはフロントキャビネットに対して前記長辺方向に移動することができ、熱膨張によるリアキャビネットのゆがみが抑制される。
また、表示装置を立てた状態で補強体にフロントキャビネット及びリアキャビネットを取り付けて、ビス止めする際、前記上辺板部を前記溝部に挿入することにより、リアキャビネットをフロントキャビネットに仮固定することができ、リアキャビネットのビス止め作業を効率的に行うことが可能になる。
【００１２】
本発明に係る表示装置は、前記上辺板部が有する掛合突起は、前記上辺板部の上面に形成された凸部であり、前記溝部が有する掛合突起は、前記溝部の内面上部から下方へ突出し、前記上辺板部の凸部の背面側部位に当接するレール状凸部であることを特徴とする。
【００１３】
本発明にあっては、フロントキャビネットの上辺部分に備えられた溝部に、リアキャビネットの上辺板部を挿入した場合、前記上辺板部の上面に形成された凸部と、前記溝部の内面上部から下方へ突出したレール状凸部とが当接することによって、リアキャビネットはフロントキャビネットに引っ掛かる。
【００１４】
本発明に係る表示装置は、前記連結用貫通孔はビスが内嵌する丸孔であることを特徴とする。
【００１５】
本発明にあっては、各分体の互いの位置関係は固定され、補強体に対するリアキャビネットの相対位置が変更されることによって、熱膨張によるリアキャビネットの変形を吸収する。
【００１６】
本発明に係る表示装置は、前記固定用貫通孔はビスが内嵌する丸孔であることを特徴とする。
【００１７】
本発明にあっては、補強体に対するリアキャビネットの位置関係は固定され、各分体間の相対位置が変更されることによって、熱膨張によるリアキャビネットの変形を吸収する。
【００１８】
本発明に係る表示装置は、前記長辺方向における前記リアキャビネットの寸法は、前記フロントキャビネットの寸法よりも小さいことを特徴とする。
【００１９】
本発明にあっては、リアキャビネットの前記長辺方向の寸法が、フロントキャビネットの前記長辺方向の寸法よりも小さいため、正面側から表示装置を見た場合、熱膨張によるフロントキャビネット及び補強体に対するリアキャビネットの位置ずれが視認されることが無い。
【００２０】
本発明に係るテレビジョン受信機は、上述の何れか一つの表示装置と、テレビジョン放送を受信する受信部とを備え、前記受信部で受信したテレビジョン放送に基づいて前記表示装置で映像を表示するようにしてあることを特徴とする。
【００２１】
本発明にあっては、テレビジョン放送の映像を表示することができる。
【発明の効果】
【００２２】
本発明にあっては、リアキャビネットにスリット構造を設けること無く、外観品位及び強度を保持しつつ熱膨張又は熱収縮によるリアキャビネットの変形を抑制することができる。
【図面の簡単な説明】
【００２３】
【図１】テレビジョン受信機の模式的斜視図である。
【図２】テレビジョン受信機の模式的な分解斜視図である。
【図３】リアキャビネットの背面図である。
【図４】分体の夫々の背面図である。
【図５】リアキャビネットの分体と分体との連結部分を分離して拡大した部分正面図である。
【図６】リアキャビネットの分体と分体との連結部分を分離して拡大した部分背面図である。
【図７】当接部を含んだ部分を拡大した模式的背面図である。
【図８】リアキャビネットの分体と分体との連結部分を示す模式的断面図である。
【図９】長辺方向一端側の分体のビス固定部分を拡大した模式的背面図である。
【図１０】長辺方向中央部の分体のビス固定部分を拡大した模式的背面図である。
【図１１】長辺方向他端側の分体のビス固定部分を拡大した模式的背面図である。
【図１２】リアキャビネットの分体とシャーシとの固定箇所を示す模式的断面図である。
【図１３】フロントキャビネットとリアキャビネットとの掛合部分を示す模式的斜視図である。
【図１４】フロントキャビネットとリアキャビネットとの掛合部分を示す模式的断面図である。
【図１５】熱膨張又は熱収縮によるリアキャビネットの変形を抑制する作用効果を示す分体及びシャーシの模式的断面図である。
【図１６】変形例に係るリアキャビネットの分体と分体との連結部分を分離して拡大した部分背面図である。
【図１７】変形例に係る長辺方向他端側の分体のビス固定部分を拡大した模式的背面図である。
【図１８】変形例に係るリアキャビネットの分体と分体との連結部分を示す模式的断面図である。
【図１９】変形例に係るリアキャビネットの分体とシャーシとの固定箇所を示す模式的断面図である。
【図２０】熱膨張又は熱収縮によるリアキャビネットの変形を抑制する作用を示す分体の連結部分の模式的断面図である。
【発明を実施するための形態】
【００２４】
以下本発明をそのを示す図面に基づき具体的に説明する。
図１は、テレビジョン受信機の模式的斜視図であり、図２はテレビジョン受信機の模式的な分解斜視図である。テレビジョン受信機は、例えば９０インチ型のテレビジョン受信機であり、本発明の表示装置に対応する。テレビジョン受信機は、液晶パネル又はＥＬパネル等の表示パネルを含んだ矩形平板状の表示部２を備えており、表示部２は金属製のシャーシ（補強体）４に固定されている。表示部２は、バックライト及び映像処理回路等を含んでいる。また、テレビジョン受信機は、表示部２の正面側に矩形枠状のフロントキャビネット３を備えている。フロントキャビネット３は、金属又は樹脂で形成されており、シャーシ４に固定されている。表示部２及びシャーシ４の周縁部分がフロントキャビネット３で覆われている。フロントキャビネット３は、複数の部品で構成されていてもよい。また、テレビジョン受信機は、表示部２及びシャーシ４の背面を覆うリアキャビネット１を備えている。テレビジョン受信機は、更に、図示しない受信部、入出力インタフェース、制御基板、スピーカ及び電源等の他の部品を備えており、これらの部品はシャーシ４に固定されている。図示しない受信部は、テレビジョン放送を受信し、表示部２は、受信部で受信したテレビジョン放送に基づいた映像を表示する。なお、テレビジョン受信機は、受信部が分離された形態であってもよい。
【００２５】
図３は、リアキャビネット１の背面図である。テレビジョン受信機の背面はリアキャビネット１の表面になっている。リアキャビネット１は、樹脂で全体として矩形状に形成されている。リアキャビネット１は、テレビジョン受信機の他の部品に比べても巨大であり、一体で作成することが困難であるので、三つの分体１１，１２，１３に分割して作成されている。
【００２６】
図４は、分体１１，１２，１３の夫々の背面図である。分体１１，１２，１３の夫々は、リアキャビネット１の全体を縦に切断した矩形の形状になっている。分体１１，１２，１３の夫々は、表面に交差する複数のビスで互いに連結されて、リアキャビネット１として組み立てられる。リアキャビネット１は、分体１１と分体１２とが連結され、分体１２と分体１３とが連結されて構成されている。また、リアキャビネット１は、ビスでシャーシ４に固定されている。リアキャビネット１の一部はフロントキャビネット３に係止されてもよい。
【００２７】
図５は、リアキャビネット１の分体１１と分体１２との連結部分を分離して拡大した部分正面図である。テレビジョン受信機の正面はリアキャビネット１の裏面になっている。図６は、リアキャビネット１の分体１１と分体１２との連結部分を分離して拡大した部分背面図である。分体１１の一端部には連結部５が設けられ、分体１２の一端部には連結部６が設けられている。連結部５と連結部６とが重なって複数のビスで連結されることにより、分体１１と分体１２とが連結される。本実施の形態では、分体１１の連結部５が分体１２の連結部６よりも背面側に配置された状態で連結される形態を示している。また、分体１２の他の一端部には、分体１３と連結されるための他の連結部が設けられている。
【００２８】
連結部５は、矩形状の分体１１の一辺に沿って延びた帯状の部分である。連結部５には、背面側からビスが貫通する複数のボス５１が設けられている。複数のボス５１は、連結部５の長辺方向に沿って並設されている。ボス５１は、分体１１の裏面から正面側へ向けて凸になっている。分体１１と分体１２とが連結した状態では、ボス５１は連結部６へ向けて凸になっている。また、ボス５１には、ビスが貫通するための連結用貫通孔５２が形成されている。
【００２９】
連結部６は、矩形状の分体１２の一辺に沿って延びた帯状の部分であり、正面側で連結部５に重なることができるように、分体１２の表面よりも正面側にずれた位置に設けられている。連結部６には、分体１１と分体１２とが連結した状態で連結部５から突出したボス５１が当接するための複数の当接部６１が長辺方向に沿って並設されている。夫々の当接部６１は、分体１１と分体１２とを連結したときに夫々のボス５１が当接できる位置に設けられている。また、連結部６が設けられた一辺に対向する他の一辺に沿って、同様の連結部が設けられている。
【００３０】
図７は、当接部６１を含んだ部分を拡大した模式的背面図である。当接部６１は、ボス５１の先端部分よりも広い面積を有する平面部分である。当接部６１は分体１２の表面にほぼ平行になっている。当接部６１の中心には、ビスが挿入されるための挿入口６２が形成されている。挿入口６２は、ビスが螺入して固定される螺入穴の入り口、又はビスが貫通して固定されるための貫通孔の入り口である。分体１１と分体１２とを連結したときには、当接部６１に当接するボス５１を貫通したビスが挿入口６２に挿入され、固定される。また、挿入口６２の周囲には、当接部６１から背面側へ凸になった枠部６３が設けられている。図７中には、ボス５１の外周を破線で示している。
【００３１】
図８は、リアキャビネット１の分体１１と分体１２との連結部分を示す模式的断面図である。図８では、連結部５及び連結部６を、リアキャビネット１の長辺方向に切断した断面を模式的に示す。図８中の上側がテレビジョン受信機の背面側であり、下側がテレビジョン受信機の正面側である。また、図８中、横方向はリアキャビネット２の長辺方向である。連結部５のボス５１の先端は、連結部６の当接部６１に当接しており、ボス５１は枠部６３の内側に配置されている。ビス７は、連結用貫通孔５２を背面側から貫通し、挿入口６２から挿入されて固定されている。このように、連結部５と連結部６とは重なってビス７で連結されている。連結用貫通孔５２はビス７が内嵌する丸孔である。このため、分体１１と分体１２との相対位置が規定の位置に固定される。連結用貫通孔５２の内径は、ビス７の径と略同一である。つまり、連結用貫通孔５２にビスが内嵌した場合、分体１１，１２，１３の相対位置が所定範囲で固定されるように、連結用貫通孔５２の径が定められる。
【００３２】
分体１３と分体１２との連結部分も同様の構造となっており、分体１３に連結部５が設けられ、分体１２の他の一辺に沿って連結部６が設けられてあり、ビスによって連結される。なお、図８には、ボス５１が当接部６１に直接に当接している形態を示したが、リアキャビネット１は、ボス５１と当接部６１との間に他の物体を介在させた形態であってもよい。
【００３３】
図９は、長辺方向一端側の分体１３のビス固定部分を拡大した模式的背面図、図１０は、長辺方向中央部の分体１２のビス固定部分を拡大した模式的背面図、図１１は、長辺方向他端側の分体１１のビス固定部分を拡大した模式的背面図である。リアキャビネット１の周縁部には、該リアキャビネット１をシャーシ４に固定するためのビス７が貫通する複数のボス８１が該周縁部に沿って設けられている。つまり、各分体１２の周縁部の内、連結部５，６を除いた周縁部にボス８１が設けられている。ボス８１は、分体１１，１２，１３の裏面から正面側へ向けて凸になっている。またボス８１には、ビス７が背面側から貫通する固定用貫通孔８２が形成されている。固定用貫通孔８２は、該固定用貫通孔８２を貫通するビス７よりもリアキャビネット１の長辺方向の寸法が大きい長孔である。なお、図９〜図１１には、一部の固定用貫通孔８２しか図示されていないが、他の固定用貫通孔８２も同様の構成である。固定用貫通孔８２は、前記長辺方向に長い長孔であるため、リアキャビネット１が熱膨張又は熱収縮した場合であっても、ビス７に対する固定用貫通孔８２の位置が変化することができ、熱膨張によるリアキャビネット１のゆがみが抑制される。詳細は後述する。
なお、本実施の形態では、全ての固定用貫通孔８２が長孔である例を説明しているが、必ずしも全ての固定用貫通孔８２が長孔である必要は無く、リアキャビネット１の変形を抑制することができえるのであれば、一部の固定用貫通孔８２を長孔とし、他の固定用貫通孔８２を他の形状としても良い。
【００３４】
図１２は、リアキャビネット１の分体１１とシャーシ４との固定箇所を示す模式的断面図である。シャーシ４には、先端がボス８１に当接するように、背面側へ突出した円柱部４１が設けられている。円柱部４１は、固定用貫通孔８２を貫通したビス７が螺合するビス孔４２を有し、ビス７がビス孔４２に螺合することによって、リアキャビネット１はシャーシ４に固定される。また、図１２に示すように、リアキャビネット１の長辺方向の寸法は、フロントキャビネット３の前記長辺方向の寸法よりも小さい。リアキャビネット１の長辺方向の端部と、フロントキャビネット３との間には間隙が設けられている。また、シャーシ４の周縁部４３、フロントキャビネット３又はリアキャビネット１と略同色である。例えば、フロントキャビネット３及びリアキャビネット１が黒色である場合、シャーシ４の周縁部４３は黒色に塗装されている。なお、周縁部４３の全域をフロントキャビネット３又はリアキャビネット１と略同色に構成する必要は無く、少なくとも短辺側の周縁部４３の背面側部分が略同色であれば良い。また、塗装は一例であり、シャーシ４の周縁部４３を、フロントキャビネット３又はリアキャビネット１と略同色となるような材質で構成したり、表面処理を行うことで、前記略同色の部分を構成しても良い。
【００３５】
図１３は、フロントキャビネット３とリアキャビネット１との掛合部分を示す模式的斜視図、図１４は、フロントキャビネット３とリアキャビネット１との掛合部分を示す模式的断面図である。リアキャビネット１の各分体１１，１２，１３は、上辺部分から正面側へ曲成された上辺板部１ａを備え、フロントキャビネット３は上辺板部１ａが背面側から挿入される溝部３ａを上辺部分に備える。溝部３ａは、背面側に開口した側断面Ｕ字形である。より詳細には、溝部３ａは、フロントキャビネット３の上辺部分の一部を構成している上板と、フロントキャビネット３の上辺部分から下方へ突出した略矩形状の横板と、該横板の下辺から背面側へ屈曲した底板とで構成されている。溝部３ａを構成する上板の下面には、下方へ突出したレール状凸部（掛合突起）３ｂが形成されている。リアキャビネット１を構成する上辺板部１ａの正面側先端部の上面には、レール状凸部３ｂに引っ掛かる凸部（掛合突起）１ｂが形成されている。該凸部１ｂの正背面方向の寸法は、溝部３ａの横板と、レール状凸部３ｂとの間に嵌り込むことが可能な寸法になっている。また、フロントキャビネット３にリアキャビネット１を嵌め合わせた場合、上辺板部１ａの凸部１ｂの上端に比べて、レール状凸部３ｂの下端の方が、上辺板部１ａ側、つまり、下方に位置するように凸部１ｂ及びレール状凸部３ｂの寸法が決められている。
このように構成することにより、リアキャビネット１の下辺部分を、フロントキャビネット３の図示しない下辺部の構造部分に嵌め合わせ、リアキャビネット１の上辺板部１ａを溝部３ａに挿入した場合、溝部３ａと、レール状凸部３ｂとの間に、上辺板部１ａの凸部１ｂが嵌り込み、凸部１ｂの背面側部分と、レール状凸部３ｂの正面側部分とが当接することによって、リアキャビネット１をフロントキャビネット３に対して引っ掛けることが可能になる。
【００３６】
以下、本実施の形態に係る表示装置の作用効果を説明する。
図１５は、熱膨張又は熱収縮によるリアキャビネット１の変形を抑制する作用効果を示す分体１１及びシャーシ４の模式的断面図である。図１５中、横方向はリアキャビネット１の長手方向である。本実施の形態に係るリアキャビネット１は、分体１１，１２，１３がビス７によって連結されてなり、固定用貫通孔８２に挿通したビス７によって、シャーシ４に固定されている。固定用貫通孔８２は、リアキャビネット１の長辺方向に長い長孔である。このため、図１５Ａ及び図１５Ｂに示すように、熱膨張又は熱収縮によってキャビネットの長辺方向の寸法が変化したとしても、シャーシ４に対するリアキャビネット１の相対位置は変更可能である。従って、熱膨張又は熱収縮によるリアキャビネット１の変形を抑制することができる。また、従来技術のように、スリット構造を設ける必要が無く、外観品位及び強度を保持しつつ、熱膨張又は熱収縮によるリアキャビネット１の変形を抑制することができる。
【００３７】
また、図１５Ａ及び図１５Ｂに示すように、リアキャビネット１の長辺方向の端部と、フロントキャビネット３との間には間隙が設けられているため、リアキャビネット１がフロントキャビネット３よりも大きく熱膨張した場合であっても、リアキャビネット１がフロントキャビネット３に当接することは無く、効果的にリアキャビネット１の変形を抑止することができる。
【００３８】
更に、図１５Ａ及び図１５Ｂに示すように、リアキャビネット１の長辺方向の寸法は、フロントキャビネット３の長辺方向の寸法よりも小さいため、熱膨張及び熱収縮によるフロントキャビネット３に対するリアキャビネット１の相対位置変化が視認されず、外観品位の低下を防止することができる。
【００３９】
更にまた、図１５Ｂに示すように、リアキャビネット１の収縮により、リアキャビネット１と、フロントキャビネット３との隙間からシャーシ４が背面側から見えるような状況になっても、シャーシ４の周縁部は、リアキャビネット１及びフロントキャビネット３と略同色の黒色であるため、前記隙間及びシャーシ４の周縁部の色が外部から視認されるといった外観品位の低下を防止することができる。
【００４０】
更にまた、９０インチ型のような大型の表示装置の組み立て工程においては、表示部２を立てた状態で、フロントキャビネット３及びリアキャビネット１を取り付ける必要がある。大型の表示装置の場合、寝かせた表示装置を立て直すことが難しく、作業性が著しく悪化するためである。本実施の形態によれば、起立状態にある表示部２にフロントキャビネット３及びリアキャビネット１を固定する際、リアキャビネット１の下辺部分を、フロントキャビネット３の図示しない下辺部の構造部分に嵌め合わせ、リアキャビネット１の上辺板部１ａを溝部３ａに挿入することによって、リアキャビネット１をフロントキャビネット３に引っ掛け、仮固定することができる。そして、リアキャビネット１をシャーシ４にビス固定することができる。このため、効率的に表示装置を組み立てることができる。
また、リアキャビネット１の凸部１ｂは、長辺方向に移動可能にレール状凸部３ｂに引っ掛かっているため、リアキャビネット１が熱膨張又は熱収縮した場合、リアキャビネット１の上辺板部１ａはレール状凸分３ｂに沿って移動することができ、熱膨張又は熱収縮によるリアキャビネット１の変形を効果的に抑制することができる。
【００４１】
なお、本実施の形態においては、リアキャビネット１の連結部分において分体１１，１３が分体１２よりも背面側に配置された形態を示したが、分体間の位置関係はこれに限るものではなく、その他の位置関係であってもよい。また、本実施の形態においては、リアキャビネット１の全体を、長辺方向に直交する方向に切断した形状の三つの分体１１，１２，１３からリアキャビネット１が構成された形態を示したが、リアキャビネット１は、その他の形状の複数の分体から構成された形態であってもよい。例えば、リアキャビネット１は、二つの分体から構成された形態であってもよく、四つ以上の分体から構成された形態であってもよい。これらの形態においても、分体間の連結部分は、本実施の形態と同様の構成となっている。
【００４２】
また、本実施の形態においては、本発明の表示装置がテレビジョン受信機である形態を示したが、表示装置はその他の形態であってもよい。例えば、本発明の表示装置は、インフォメーションディスプレイであってもよい。
【００４３】
（変形例）
上述の実施の形態では、固定用貫通孔を長孔、連結用貫通孔を丸孔に形成する例を説明したが、固定用貫通孔を丸孔、連結用貫通孔を長孔としても良い。以下、連結用貫通孔を長孔とした変形例を説明する。
【００４４】
図１６は、変形例に係るリアキャビネットの分体１１１と分体１１２との連結部分を分離して拡大した部分背面図、図１７は、変形例に係る長辺方向他端側の分体１１１のビス固定部分を拡大した模式的背面図、図１８は、変形例に係るリアキャビネットの分体１１１と分体１１２との連結部分を示す模式的断面図である。図１８では、リアキャビネットの長辺方向一端側を構成する分体１１１の連結部１０５と、該長辺方向中央部の分体１１２を構成する連結部６とを、リアキャビネットの長辺方向に切断した断面を模式的に示す。
上述の実施の形態と同様、各分体１１１，１１２の連結部１０５には、背面側からビス７が貫通する複数のボス１５１が設けられている。ビス７は、ボス１５１に形成された連結用貫通孔１５２を背面側から貫通し、挿入口６２から挿入されて固定されている。このように、連結部１０５と連結部６とは重なってビス７で連結されている。連結用貫通孔１５２は、該連結用貫通孔１５２を貫通するビス７よりもリアキャビネットの長辺方向の寸法が大きい長孔である。なお、図１６〜図１８には、一部の連結用貫通孔１５２しか図示されていないが、他の連結用貫通孔１５２も同様の構成である。連結用貫通孔１５２は、前記長辺方向に長い長孔であるため、リアキャビネットが熱膨張又は熱収縮した場合であっても、ビス７に対する連結用貫通孔１５２の位置が変化することができ、熱膨張によるリアキャビネットのゆがみが抑制される。
なお、本変形例では、全ての連結用貫通孔１５２が長孔である例を説明しているが、必ずしも全ての連結用貫通孔１５２が長孔である必要は無く、リアキャビネットの変形を抑制することができえるのであれば、一部の連結用貫通孔１５２を長孔とし、他の連結用貫通孔１５２を他の形状としても良い。
【００４５】
図１９は、変形例に係るリアキャビネットの分体１１１とシャーシ４との固定箇所を示す模式的断面図である。変形例に係るリアキャビネットの周縁部には、実施の形態と同様のボス１８１が設けられており、ボス１８１には、ビス７が背面側から貫通する固定用貫通孔１８２が形成されている。固定用貫通孔１８２は、丸孔である。また、変形例に係るシャーシ４には、実施の形態と同様、円柱部４１が設けられており、ビス７が円柱部４１のビス孔４２に螺合することによって、リアキャビネットはシャーシ４に固定される。なお、図１９には、一部の固定用貫通孔１８２しか図示されていないが、他の固定用貫通孔も同様の構成である。固定用貫通孔１８２は、丸孔であるため、シャーシ４に対するリアキャビネットの位置は固定される。
【００４６】
図２０は、熱膨張又は熱収縮によるリアキャビネットの変形を抑制する作用を示す分体１１１，１１２の連結部分の模式的断面図である。変形例に係るリアキャビネットに設けられた連結用貫通孔１８２は、リアキャビネットの長辺方向に長い長孔である。このため、図２０Ａ及び図２０Ｂに示すように、熱膨張又は熱収縮によってキャビネットの長辺方向の寸法が変化したとしても、各分体１１１，１１２の相対位置は変更可能である。また分体１１２及び他の分体との相対位置も変更可能である。従って、熱膨張又は熱収縮によるリアキャビネットの変形を抑制することができる。また、従来技術のように、スリット構造を設ける必要が無く、外観品位及び強度を保持しつつ、熱膨張又は熱収縮によるリアキャビネット１の変形を抑制することができる。
【符号の説明】
【００４７】
１  リアキャビネット
２  表示部
３  フロントキャビネット
４  シャーシ（補強体）
１１、１２、１３  分体
５，６  連結部
７  ビス
５１，８１  ボス
５２  連結用貫通孔
６１  当接部
６２  挿入口
６３  枠部
８２  固定用貫通孔
【図１】
2013243548.tif 000003
【図２】
2013243548.tif 000004
【図５】
2013243548.tif 000005
【図６】
2013243548.tif 000006
【図７】
2013243548.tif 000007
【図８】
2013243548.tif 000008
【図９】
2013243548.tif 000009
【図１０】
2013243548.tif 000010
【図１１】
2013243548.tif 000011
【図１２】
2013243548.tif 000012
【図１３】
2013243548.tif 000013
【図１４】
2013243548.tif 000014
【図１５】
2013243548.tif 000015
【図１６】
2013243548.tif 000016
【図１７】
2013243548.tif 000017
【図１８】
2013243548.tif 000018
【図１９】
2013243548.tif 000019
【図２０】
2013243548.tif 000020
【図３】
2013243548.tif 000021
【図４】
2013243548.tif 000022